(57)【要約】【課題】本発明の目的は、直流遮断器収納箱の設計を標準化して多種多様な用途・仕様に適応した直流回路用配電盤を設計・製作する際の手間および時間の軽減を可能にした転流式直流遮断器を有する直流回路用配電盤を提供する。【解決手段】本発明の転流式直流遮断器を有する直流回路用配電盤は、主開閉器を有する主回路と、主開閉器に対して電気的に並列に転流コンデンサ及び転流スイッチとを有する転流回路を接続した構成の転流式直流遮断器とを標準的な構成として収容した直流遮断器収納箱を備え、この直流遮断器収納箱の前面に配電盤の制御ならびに配電盤の状態表示・故障表示の機能を有する機器を収容した前面収納箱を備え、この直流遮断器収納箱の背面に主回路の状態監視や保護を行う機器を収容した背面収納箱を備え、これらの前面収納箱及び背面収納箱を前記直流遮断器収納箱に夫々連結させて一体の直流回路用配電盤を構成した。【選択図】図１
2008220160.tif 000002
【特許請求の範囲】
【請求項１】
直流電源と負荷との間を接続して主回路電流を入切する主開閉器を備えた主回路と、主開閉器に対して電気的に並列に転流コンデンサ及び転流スイッチを備えた転流回路を接続して構成される転流式直流遮断器を有する直流回路用配電盤において、
前記主開閉器を有する主回路と、主開閉器に対して電気的に並列に前記転流コンデンサ及び転流スイッチを備えた転流回路を接続した構成の転流式直流遮断器を標準的な構成として収容した直流遮断器収納箱を備え、
この直流遮断器収納箱の前面に配電盤の制御ならびに配電盤の状態表示・故障表示の機能を有する機器を収容した前面収納箱を備え、この直流遮断器収納箱の背面に主回路の状態監視や保護を行う機器を収容した背面収納箱を備え、これらの前面収納箱及び背面収納箱を前記直流遮断器収納箱に夫々連結させて一体の直流回路用配電盤を構成することを特徴とする転流式直流遮断器を有する直流回路用配電盤。
【請求項２】
直流電源と負荷との間を接続して主回路電流を入切する主開閉器を備えた主回路と、主開閉器に対して電気的に並列に転流コンデンサと転流スイッチとを備えた転流回路を接続して構成される転流式直流遮断器を有する直流回路用配電盤において、
前記主開閉器と転流スイッチを備えた移動可能な主開閉器駆動装置と、この主開閉器駆動装置の後方に設置された非直線抵抗器および可飽和リアクトルと、この非直線抵抗器の上部に設置された転流コンデンサと、内部に配置された機器の制御、操作を行う制御装置と、内部に配置された母線及び母線に接続した接続導体と、主開閉器及び転流スイッチと内部に配設された母線及び接続導体に連結された断路部と、主回路電流が流れる接続導体に取り付けられた過電流検出器とを備えたものを標準化された機器構成として収容した直流遮断器収納箱を備え、
この直流遮断器収納箱の前面に配電盤の制御ならびに配電盤の状態表示・故障表示の機能を有する機器を収容した前面収納箱を備え、この直流遮断器収納箱の背面に主回路の状態監視や保護を行う機器を収容した背面収納箱を備え、これらの前面収納箱及び背面収納箱を前記直流遮断器収納箱に夫々連結させて一体の直流回路用配電盤を構成することを特徴とする転流式直流遮断器を有する直流回路用配電盤。
【請求項３】
請求項１に記載の転流式直流遮断器を有する直流回路用配電盤において、
前記直流遮断器収納箱に連結された前面収納箱及び背面収納箱がこの直流遮断器収納箱に対して取り付け及び取り外し可能に連結されていることを特徴とする転流式直流遮断器を有する直流回路用配電盤。
【請求項４】
請求項２に記載の転流式直流遮断器を有する直流回路用配電盤において、
前記直流遮断器収納箱に連結された前面収納箱及び背面収納箱がこの直流遮断器収納箱に対して取り付け及び取り外し可能に連結されていることを特徴とする転流式直流遮断器を有する直流回路用配電盤。
【発明の詳細な説明】
【技術分野】
【０００１】
本発明は直流回路用配電盤に係わり、特に転流式直流遮断器を有する直流回路用配電盤に関する。
【背景技術】
【０００２】
本発明に係わる直流回路用配電盤には転流式直流遮断器が備えられている。
【０００３】
転流式直流遮断器を有する直流回路用配電盤を構成する機器は、この転流式直流遮断器を収容する共通の１個の収納箱の内部に全ての機器が設置されており、その一例として特開２０００−５０４３１号公報には収納箱の内部に各種機器を収納した直流回路用配電盤の構成が開示されている。
【０００４】
例えば、特開２０００−５０４３１号公報に開示された直流回路用配電盤では、１個の共通の収納箱の内部に配設された機器として、この共通の収納箱の内部における前面下方に設置されて搬入、搬出が可能な主開閉器と、この主開閉器の背後に配置された非直線抵抗器と、この非直線抵抗器の上部に配置された転流コンデンサと、この転流コンデンサの前方に配置されて各機器の制御及び操作を行う制御機器と、収納箱の内部空間に配置された各種母線や接続導体と、この母線に取り付けられた過電流検出器等の機器が開示されている。
【０００５】
そして、上記構成の転流式直流遮断器では、主開閉器等を備えた主回路に過大な電流が流れた場合に、主開閉器が開極した後に転流スイッチを投入することで転流コンデンサからの放電に伴う高周波交流電流、即ち振動転流電流が主開閉器に供給されるように構成することにより、この振動転流電流が主回路を流れる主回路電流に重畳され、主回路に電流零点が発生することで過大な主回路電流を遮断するようになっている。
【０００６】
また前記直流回路用配電盤には、主回路の開閉を行うための転流式直流遮断器の他に、更に共通の収納箱の内部に主回路の断路をするための断路器と、外部の負荷へ供給される電力の計測や制御を行うための変流器および計器用変圧器と、回路保護用の保護継電器と、配電盤の制御を行うための補助リレーや各種スイッチと、遮断器の状態や故障状況等を表示する表示灯や故障表示器等が備えられている。
【０００７】
このように従来の直流回路用配電盤では、直流回路用配電盤を構成する各種機器は共通の１個の収納箱の内部に全て納められた構成を採用している。
【０００８】
ただし、直流回路用配電盤の用途・仕様等によって各々の配電盤ごとに収納される配電盤の構成機器の種類、構成、配置は異なっている。
【０００９】
【特許文献１】特開２０００−５０４３１号公報
【発明の開示】
【発明が解決しようとする課題】
【００１０】
しかしながら、特開２０００−５０４３１号公報に開示されたような構成の直流回路用配電盤では、直流回路用配電盤を構成する機器の種類、構成、配置が直流回路用配電盤の用途・仕様等によって配電盤ごとに異なるにも拘わらず、直流回路用配電盤を構成する全ての機器が１個の共通の収納箱の内部に収容されているので、各々の配電盤ごとに配電盤全体の全ての構成機器の設計を個別に行わなければならないという問題があった。
【００１１】
また、前述したように各々の配電盤ごとに収納箱の内部に収納されている機器の構成が異なるため、直流回路用配電盤の製造に際しては、その製作手順を統一することができずに直流回路用配電盤の製作に非常に大きな手間と時間がかかり、直流回路用配電盤が高コストとなる要因にもなっていた。
【００１２】
本発明の目的は、直流遮断器収納箱の設計を標準化して多種多様な用途・仕様に適応した直流回路用配電盤を設計・製作する際の手間および時間の軽減を可能にした転流式直流遮断器を有する直流回路用配電盤を提供することにある。
【課題を解決するための手段】
【００１３】
本発明の転流式直流遮断器を有する直流回路用配電盤は、主開閉器を有する主回路と、主開閉器に対して電気的に並列に転流コンデンサ及び転流スイッチとを有する転流回路を接続した構成の転流式直流遮断器とを標準的な構成として収容した直流遮断器収納箱を備え、この直流遮断器収納箱の前面に配電盤の制御ならびに配電盤の状態表示・故障表示の機能を有する機器を収容した前面収納箱を備え、この直流遮断器収納箱の背面に主回路の状態監視や保護を行う機器を収容した背面収納箱を備え、これらの前面収納箱及び背面収納箱を前記直流遮断器収納箱に夫々連結させて一体の直流回路用配電盤を構成することを特徴とする。
【００１４】
また、本発明の転流式直流遮断器を有する直流回路用配電盤は、主開閉器と転流スイッチを備えた移動可能な主開閉器駆動装置と、この主開閉器駆動装置の後方に設置された非直線抵抗器および可飽和リアクトルと、この非直線抵抗器の上部に設置された転流コンデンサと、配置された機器の制御、操作を行う制御装置と、配置された母線及び母線に接続した接続導体と、主開閉器及び転流スイッチと母線及び接続導体に連結された断路部と、主回路電流が流れる接続導体に取り付けられた過電流検出器とを備えたものを標準化された機器構成として収容した直流遮断器収納箱を備え、この直流遮断器収納箱の前面に配電盤の制御ならびに配電盤の状態表示・故障表示の機能を有する機器を収容した前面収納箱を備え、この直流遮断器収納箱の背面に主回路の状態監視や保護を行う機器を収容した背面収納箱を備え、これらの前面収納箱及び背面収納箱を前記直流遮断器収納箱に夫々連結させて一体の直流回路用配電盤を構成することを特徴とする。
【発明の効果】
【００１５】
本発明によれば、直流遮断器収納箱の設計を標準化して多種多様な用途・仕様に適応した直流回路用配電盤を設計・製作する際の手間および時間の軽減を可能にした転流式直流遮断器を有する直流回路用配電盤が実現できる。
【発明を実施するための最良の形態】
【００１６】
本発明の実施例である転流式直流遮断器を有する直流回路用配電盤について図に基づいて以下に説明する。
【実施例１】
【００１７】
図３は本発明の実施例である転流式直流遮断器Ｃを備えた直流遮断装置の概略構成を示す回路図である。
【００１８】
図３において、転流式直流遮断器Ｃを構成する主開閉器３及び可飽和リアクトル１０を有する主回路Ａは、直流電源６０と負荷７０とを接続している。
【００１９】
転流式直流遮断器Ｃは主開閉器３を備えた主回路Ａに転流回路Ｂをそれぞれ接続している。
【００２０】
これらの転流回路Ｂは主回路Ａの主開閉器３に対して並列に接続されており、転流コンデンサ８及び転流スイッチ２はそれぞれ直列に一方の転流回路Ｂに接続されている。また、他方の転流回路Ｂに備えられた非直線抵抗器９は主回路Ａの主開閉器３に対して並列に接続されている。
【００２１】
転流回路Ｂに備えられたこの非直線抵抗器９は主回路Ａの電磁エネルギーを吸収するためのエネルギー吸収装置である。
【００２２】
図１は本発明の一実施例である転流式直流遮断器を有する直流回路用配電盤の概略断面図である。
【００２３】
図１において、直流電源と負荷との間を接続して主回路を流れる電流を入切する主開閉器３及び可飽和リアクトル１０を備えた主回路Ａと、主回路Ａの主開閉器３に対して電気的に並列に配置された転流コンデンサ８と転流スイッチ２と非直線抵抗器９とを備えた転流回路Ｂとが接続されて、転流式直流遮断器Ｃを有する直流回路用配電盤が構成されている。
【００２４】
この直流回路用配電盤を構成する主要機器は、直流遮断器収納箱４１の内部と、この直流遮断器収納箱４１の前面に設置された前面収納箱４０Ａの内部と、この直流遮断器収納箱４１の裏面に設置された背面収納箱４２Ａの内部とに分けて収容されている。
【００２５】
そして、この直流遮断器収納箱４１の内部には、転流式直流遮断器Ｃを構成する標準化された主要機器が収容されるように構成されている。
【００２６】
即ち、直流遮断器収納箱４１の内部には、該収納箱４１の内部の前面側下方に、主回路を流れる電流を消弧させる主開閉器３と、主回路Ａを流れる電流に重畳させる電流を通電させる転流スイッチ２とを備え、重畳した電流により主回路Ａに電流零点を発生させて主回路Ａの通電を遮断するように前記主開閉器３を駆動させる主開閉器駆動装置１が配置されている。
【００２７】
この直流遮断器収納箱４１の内部には、更に主開閉器駆動装置１の背後の位置に、転流回路Ｂに設置されたエネルギー吸収用の非直線抵抗器９及び主回路Ａに設置されて該主回路Ａに発生させる電流零点の近傍における電流変化率を低減させる可飽和リアクトル１０が設置されている。
【００２８】
直流遮断器収納箱４１の内部で、前記非直線抵抗器９及び可飽和リアクトル１０の上部となる位置には、転流電流を主開閉器３に供給する転流コンデンサ８が設置してあり、この転流コンデンサ８の前面側となる位置には、この直流遮断器収納箱４１の内部に配設された各機器の制御、操作を行う制御装置４〜７が夫々配置されている。
【００２９】
更に直流遮断器収納箱４１の内部には、その背面側の下方位置に外部の直流電源と接続する母線１３が配置されており、該直流遮断器収納箱４１の内部の他の空間部には前記母線１３と接続するように配設された接続導体１１Ａ，１１Ｂ，１１Ｃが夫々配置されている。
【００３０】
そして、直流遮断器収納箱４１の内部に設置された主開閉器３と転流スイッチ２は、断路部１４Ａ〜１４Ｃを介して前記各機器や母線１３および接続導体１１Ａ、１１Ｂ、１１Ｃにそれぞれ電気的に接続されており、主回路電流が流れる接続導体１１Ａには過電流を検出する過電流検出器１１が取り付けられている。
【００３１】
直流遮断器収納箱４１の背面側となる後方には背面収納箱４２Ａが設置されており、この背面収納箱４２Ａは直流遮断器収納箱４１に対してボルト、ナット等の連結具５１によって着脱自在に連結されている。
【００３２】
この背面収納箱４２Ａは該背面収納箱４２Ａを開閉する裏面扉３２を備えており、この裏面扉３２を開くことで作業員が背面収納箱４２Ａの内部に設置された断路形ヒューズ２１、回路保護用の保護継電器２２、主回路の電流を検出するための直流変流器２３Ａ、整流器箱２５、計器用直流変圧器２６および負荷側主回路の保守点検を実施することができるように構成されている。
【００３３】
尚、背面収納箱４２Ａの負荷側主回路は下引き出しで形成されている。
【００３４】
また、直流遮断器収納箱４１の正面側となる前方には前面収納箱４０Ａが設置されており、この前面収納箱４０Ａは直流遮断器収納箱４１に対してボルト、ナット等の連結具５１によって着脱自在に連結されている。
【００３５】
この前面収納箱４０Ａには該前面収納箱４０Ａを開閉する正面扉３１を備えており、この正面扉３１を開き、直流遮断器収納箱４１の内部に収容されている主開閉器駆動装置１を前面収納箱４０Ａの外部に向かって直流遮断器収納箱４１の内部から引き出すことで、直流遮断器収納箱４１の内部に収容されている前記断路部１４Ａ〜１４Ｃと主開閉器駆動装置１とが切り離されるので、収容されている機器の主開閉器３および転流スイッチ２等の保守点検を実施することができる。
【００３６】
また、前面収納箱４０Ａに備えられた前記正面扉３１の裏面には配電盤制御用の補助リレーや制御スイッチ、状態表示用の表示灯や故障表示器などから構成される配電盤制御ユニット３０Ａが取り付けられており、正面扉３１の前面側あるいは配電盤制御ユニット３０Ａの背面側にはスイッチや表示灯、故障表示器が配置されている。
【００３７】
前面収納箱４０Ａの内部側面には電気ケーブルの取り合いを行う端子台２０Ａ〜２０Ｃが設置されており、この端子台２０Ａ〜２０Ｃを介して配電盤制御ユニット３０Ａと前記の直流遮断器収納箱４１および背面収納箱４２Ａの内部に配置された直流回路用配電盤を構成している各機器との電気的な接続がなされている。
【００３８】
上記に説明したように、本実施例の直流回路用配電盤を構成する直流遮断器収納箱４１の内部に収容される主要機器は、標準化された機器構成となっており、直流遮断器収納箱４１の内部に設置される標準化した機器構成の具体例として、主開閉器３と転流スイッチ２を備えた移動可能な主開閉器駆動装置１と、この主開閉器駆動装置１の背後に設置された非直線抵抗器９および可飽和リアクトル１０と、この非直線抵抗器９の上部に設置された転流コンデンサ８と、この転流コンデンサ８の前面に夫々配置された制御装置４〜７と、該直流遮断器収納箱４１の内部の背面側下方に配置された母線１３及び母線１３に接続した接続導体１１Ｂと、主開閉器３及び転流スイッチ２と母線１３及び接続導体１１Ａ、１１Ｂ、１１Ｃに連結された断路部１４Ａ〜１４Ｃと、主回路電流が流れる接続導体１１Ａに取り付けられた過電流検出器１１とを備えた機器を、直流遮断器収納箱４１用に標準化された機器構成として直流遮断器収納箱４１の内部に収容したものである。
【００３９】
本実施例の転流式直流遮断器Ｃを有する直流回路用配電盤によれば、直流遮断器収納箱４１に収容する機器は前述したように直流遮断器収納箱４１用に標準化された機器構成から構成されているので、前記直流遮断器収納箱４１に収容された機器は製品の仕様・用途に係わらず標準的に利用できる。
【００４０】
そして直流遮断器収納箱４１の前面と後面に夫々設置される前面収納箱４０Ａの内部と背面収納箱４２Ａの内部とに設置される直流回路用配電盤の構成機器の種類・構成・配置を、製品の仕様・用途に合わせて変更する。この結果、上述した直流遮断器収納箱４１の内部に収容された標準化された機器構成の構成は変更することなく標準的に利用できる。
【００４１】
従って、標準化された機器構成を収容している直流遮断器収納箱４１の前面と後面とに設置される前面収納箱４０Ａの内部及び背面収納箱４２Ａの内部にそれぞれ収容される機器構成だけを直流回路用配電盤の仕様・用途を所望の仕様・用途に合わせて簡単、且つ迅速に変更して設計、製作することで、製品の仕様・用途に合わせた転流式直流遮断器を有する直流回路用配電盤を設計、製作する際の手間および時間を軽減することができる。
【００４２】
つまり、上述したように、標準化された機器構成からなる直流遮断器収納箱４１を標準化して製造することができる。
【００４３】
さらに、直流回路用配電盤を構成する前記した標準化された機器構成以外の機器を収容する前面収納箱４０Ａ及び背面収納箱４２Ａと、前記の標準化された機器構成の直流遮断器収納箱４１との３つの収納箱を平行して製作することが可能となることから、直流回路用配電盤の設計・製造を行う作業効率が向上する。
【００４４】
このため、直流回路用配電盤の設計・製造を行う際の手間と時間を軽減することができ、ひいては直流回路用配電盤の低コスト化を実現することができる。
【００４５】
また、直流遮断器収納箱４１の内部に制御電源が供給されていれば、直流遮断器収納箱４１の内部に収容された機器だけで主回路を流れる過電流検出、逆流検出等の故障検出による直流遮断は可能となる。
【００４６】
そのため、前述した標準化された機器構成からなる直流遮断器収納箱４１のみを顧客に納入し、別途製作した、或いは既設の前面収納箱４０Ａ及び背面収納箱４２Ａと前記の直流遮断器収納箱４１とを一体の構造体となるように連結して直流回路用配電盤を構成させれば、転流式直流遮断器Ｃを有する直流回路用配電盤として機能させることが可能となる。
【００４７】
つまり標準化された機器構成からなる直流遮断器収納箱４１を標準的に製作するようにすれば、転流式直流遮断器Ｃを有する直流回路用配電盤の新設だけでなく、改造を含む顧客の多様な要求に対しても、より柔軟に対応することが可能となる。
【００４８】
本発明の実施例によれば、直流遮断器収納箱の設計を標準化して多種多様な用途・仕様に適応した直流回路用配電盤を設計・製作する際の手間および時間の軽減を可能にした転流式直流遮断器を有する直流回路用配電盤が実現できる。
【実施例２】
【００４９】
図２は本発明の他の実施例である転流式直流遮断器を有する直流回路用配電盤の概略断面図である。
【００５０】
本実施例の直流回路用配電盤の構成は、図１に示した先の実施例の直流回路用配電盤の構成と基本的な部分が共通しているので、両者に共通した構成の説明は省略して相違した構成についてのみ以下に説明する。
【００５１】
図２において、本実施例の転流式直流遮断器を有する直流回路用配電盤の構成は、図１に示した先の実施例の構成と比較すると、標準化された機器構成からなる直流遮断器収納箱４１の内部に収容する機器の構成は標準化された機器を設置しているので変更はないが、背面収納箱４２Ｂの内部に収容される設置機器については、図１に示した先の実施例の構成とは異なって、断路器２７、直流変流器２３Ｂ、整流器箱２５、直流避雷器２８および負荷側主回路を備えた構成機器から構成されており、しかも負荷側主回路は上引き出しに変更されている。
【００５２】
また、前面収納箱４０Ｂの内部に収容される設置機器についても、図１に示した先の実施例の構成とは異なって、正面扉３１の裏面に配電盤制御用の補助リレーや制御スイッチ、状態表示用の表示灯や故障表示器などから構成される配電盤制御ユニット３０Ｂ、３０Ｃが取り付けられており、正面扉３１の前面あるいは配電盤制御ユニット３０Ｂ、３０Ｃの背面にスイッチや表示灯、故障表示器が配置されている。
【００５３】
そして、前面収納箱４０Ｂの内部側面には電気ケーブルの取り合いを行う端子台２０Ｄ〜２０Ｆが設置されており、この端子台２０Ｄ〜２０Ｆを介して配電盤制御ユニット３０Ｂと前記の直流遮断器収納箱４１および背面収納箱４２Ｂの内部に配置された直流回路用配電盤を構成している各機器との電気的な接続がなされている。
【００５４】
図１の実施例の場合と同様に、本実施例の直流回路用配電盤を構成する直流遮断器収納箱４１の内部に収容される主要機器は標準化された機器構成となっており、直流遮断器収納箱４１の内部に設置される標準化した機器構成の具体例として、主開閉器３と転流スイッチ２を備えた移動可能な主開閉器駆動装置１と、この主開閉器駆動装置１の背後に設置された非直線抵抗器９および可飽和リアクトル１０と、この非直線抵抗器９の上部に設置された転流コンデンサ８と、この転流コンデンサ８の前面に夫々配置された制御装置４〜７と、該直流遮断器収納箱４１の内部の背面側下方に配置された母線１３及び母線１３に接続した接続導体１１Ｂと、主開閉器３及び転流スイッチ２と母線１３及び接続導体１１Ａ、１１Ｂ、１１Ｃに連結された断路部１４Ａ〜１４Ｃと、主回路電流が流れる接続導体１１Ａに取り付けられた過電流検出器１１とを備えた機器を、直流遮断器収納箱４１用に標準化された機器構成として直流遮断器収納箱４１の内部に収容したものである。
【００５５】
以上の説明から理解できるように、図２に示した本実施例の直流回路用配電盤と、図１に示した先の実施例の直流回路用配電盤とは製品の仕様が一部異なっている。
【００５６】
また、標準化された機器構成の直流遮断器収納箱４１の前面と後面に設置される前面収納箱４０Ｂ及び背面収納箱４２Ｂは、標準化された機器構成からなる直流遮断器収納箱４１に対してボルト、ナット等の連結具５１によって夫々着脱自在に連結されているので、直流遮断器収納箱４１への取り付け、並びに直流遮断器収納箱４１からの取り外しが夫々可能である。
【００５７】
図２は、前面収納箱４０Ｂ及び背面収納箱４２Ｂが標準化された機器構成を内部に収容した直流遮断器収納箱４１と丁度離間した状態を示したものである。
【００５８】
上記したように前面収納箱４０Ｂ及び背面収納箱４２Ｂが、標準化された機器構成を内部に収容した直流遮断器収納箱４１への取り付け、並びに直流遮断器収納箱４１からの取り外しが夫々可能な構造を採用することにより、顧客に製品を納入後に直流回路用配電盤の仕様変更があった場合にも、標準化された機器構成を内部に収容した直流遮断器収納箱４１は引き続き流用して使用することができる。
【００５９】
よって、本実施例によっても、標準化された機器構成を内部に収容した直流遮断器収納箱４１は継続して使用できるので、直流回路用配電盤を構成する前記した標準化された機器構成以外の機器を収容する前面収納箱４０Ｂ及び背面収納箱４２Ｂと、前記の標準化された機器構成の直流遮断器収納箱４１との３つの収納箱を平行して製作することが可能となることから、直流回路用配電盤の設計・製造を行う作業効率が向上する。
【００６０】
このため、直流回路用配電盤の設計・製造を行う際の手間と時間を軽減することができ、ひいては直流回路用配電盤の低コスト化を実現することができる。
【００６１】
本発明の実施例によれば、直流遮断器収納箱の設計を標準化して多種多様な用途・仕様に適応した直流回路用配電盤を設計・製作する際の手間および時間の軽減を可能にした転流式直流遮断器を有する直流回路用配電盤が実現できる。
【産業上の利用可能性】
【００６２】
本発明は、直流回路用配電盤、特に転流式直流遮断器を有する直流回路用配電盤に適用可能である。
【図面の簡単な説明】
【００６３】
【図１】本発明の一実施例である転流式直流遮断器を有する直流回路用配電盤の構成を示す概略断面図。
【図２】本発明の実施例である転流式直流遮断器を備えた直流遮断装置の概略構成を示す回路図。
【図３】本発明の他の実施例である転流式直流遮断器を有する直流回路用配電盤の構成を示す概略断面図。
【符号の説明】
【００６４】
１：主開閉器駆動装置、２：転流スイッチ、３：主開閉器、４〜７：制御装置、８：転流コンデンサ、９：非直線抵抗器、１０：可飽和リアクトル、１１：過電流検出器、１１Ａ〜１１Ｃ：接続導体、１３：母線、１４Ａ〜１４Ｃ：断路部、２０Ａ〜２０Ｆ：端子台、２１：断路形ヒューズ、２２：保護継電器、２３Ａ、２３Ｂ：直流変流器、２５：整流器箱、２６：計器用直流変圧器、２７：断路器、２８：直流避雷器、３０Ａ〜３０Ｃ：配電盤制御ユニット、３１：正面扉、３２：裏面扉、４０Ａ、４０Ｂ：前面収納箱、４１：直流遮断器収納箱、４２Ａ、４２Ｂ：背面収納箱、５１：連結具、Ａ：主回路、Ｂ：転流回路、Ｃ：転流式直流遮断器。
【図１】
2008220160.tif 000003
【図２】
2008220160.tif 000004
【図３】
2008220160.tif 000005